(57)【要約】【課題】異なるユーザ間で香りを共有することが可能な仕組みを提供することを課題とする。【解決手段】端末装置は、サーバからダウンロードした香り付きコンテンツを再生するコンテンツ再生部を含む。香り再生情報には、香りの種類を特定するために標準化されたアロマ番号が含まれており、コンテンツ再生部は、アロマ番号に基づいて、嗅覚ディスプレイに装填された複数の香源カートリッジの中のいずれの香源カートリッジを用いて香りを再生するかを決定し、香り再生情報に基づいて嗅覚ディスプレイから香りを噴射させる。端末装置の少なくとも１つは、香り再生情報を編集して生成する生成部を含む。生成部は、生成部による編集を行うためのユーザインタフェースを含む。ユーザインタフェースに表示された時間軸上に香り再生情報に対応したアイコンが配置されることにより、香り再生情報に記録される香りの噴射時刻が設定される。【選択図】図１
2020042254.tif 000002
【特許請求の範囲】
【請求項１】
香りを共有するシステムであって、
複数の嗅覚ユニットと、
前記複数の嗅覚ユニットを接続するネットワークと、
を備え、
各嗅覚ユニットは、
複数の香源カートリッジが装填可能な嗅覚ディスプレイと、
前記嗅覚ディスプレイを制御する端末装置と、
を含み、
前記端末装置は、
再生する香りの種類を特定するために前記システムにおいて標準化されたアロマ番号を含んだ香り再生情報に基づいて香りを再生する再生部、
を含み、
前記再生部は、前記アロマ番号に基づいて、前記嗅覚ディスプレイに装填された前記複数の香源カートリッジの中のいずれの香源カートリッジを用いて香りを再生するかを決定し、前記香り再生情報に基づいて前記嗅覚ディスプレイから香りを噴射させ、
各嗅覚ユニットは、前記香り再生情報を前記ネットワークを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、
を含み、
前記ユーザインタフェースに表示された時間軸上に前記香り再生情報に対応したアイコンが配置されることにより、前記香り再生情報に記録される香りの噴射時刻が設定される、香り共有システム。
【請求項２】
香りを共有するシステムであって、
複数の嗅覚ユニットと、
前記複数の嗅覚ユニットを接続するネットワークと、
前記ネットワークに接続されたサーバと、
を備え、
各嗅覚ユニットは、
複数の香源カートリッジが装填可能な嗅覚ディスプレイと、
前記嗅覚ディスプレイを制御する端末装置と、
を含み、
前記サーバは、
再生する香りの種類を特定するために前記システムにおいて標準化されたアロマ番号を含んだ香り再生情報を保存する記憶部、
を含み、
前記端末装置は、
前記サーバからダウンロードした前記香り再生情報に基づいて香りを再生する再生部、
を含み、
前記再生部は、前記アロマ番号に基づいて、前記嗅覚ディスプレイに装填された前記複数の香源カートリッジの中のいずれの香源カートリッジを用いて香りを再生するかを決定し、前記香り再生情報に基づいて前記嗅覚ディスプレイから香りを噴射させ、
各嗅覚ユニットは、前記香り再生情報を前記サーバを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、
を含み、
前記ユーザインタフェースに表示された時間軸上に前記香り再生情報に対応したアイコンが配置されることにより、前記香り再生情報に記録される香りの噴射時刻が設定される香り共有システム。
【請求項３】
請求項１または請求項２に記載の香り共有システムにおいて、
前記ユーザインタフェースに配置された前記アイコンに含まれるバーの時間軸方向の長さにより、前記香り再生情報に記録される香りの噴射時間が設定される、香り共有システム。
【請求項４】
請求項１ないし請求項３のいずれかに記載の香り共有システムにおいて、
前記嗅覚ディスプレイは、
前記複数の香源カートリッジを装填するための複数のカートリッジ収容室、
を含み、
前記端末装置は、
各カートリッジ収容室に装填された各香源カートリッジに収容されている香りの種類を前記アロマ番号により設定する設定部、
を含む香り共有システム。
【請求項５】
請求項１ないし請求項４のいずれかに記載の香り共有システムにおいて、
前記再生部は、前記香り再生情報に記録されている前記アロマ番号に対応する香りを再生するための香源カートリッジが前記嗅覚ディスプレイに装填されていないとき、予め設定されたアルゴリズムを利用して、近似する香りを再生するための香源カートリッジを用いて香りを再生することを決定する、香り共有システム。
【請求項６】
映像情報および／または音響情報に同期した香りを再生するための香り付きコンテンツを共有するシステムであって、
複数の嗅覚ユニットと、
前記複数の嗅覚ユニットを接続するネットワークと、
を備え、
各嗅覚ユニットは、
複数の香源カートリッジが装填可能な嗅覚ディスプレイと、
前記嗅覚ディスプレイを制御する端末装置と、
を含み、
前記端末装置は、
映像情報および／または音響情報に同期された香り再生情報を含む香り付きコンテンツを再生するコンテンツ再生部、
を含み、
前記香り再生情報は、
再生する香りの種類を特定するために前記システムにおいて標準化されたアロマ番号、
を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香り再生情報に基づいて前記嗅覚ディスプレイから香りを噴射させ、
各嗅覚ユニットは、前記香り再生情報を含む前記香り付きコンテンツを前記ネットワークを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、
を含み、
前記ユーザインタフェースに表示された時間軸上に前記香り再生情報に対応したアイコンが配置されることにより、前記香り再生情報に記録される香りの噴射時刻が設定される香り付きコンテンツの共有システム。
【請求項７】
映像情報および／または音響情報に同期した香りを再生するための香り付きコンテンツを共有するシステムであって、
複数の嗅覚ユニットと、
前記複数の嗅覚ユニットを接続するネットワークと、
前記ネットワークに接続されたサーバと、
を備え、
各嗅覚ユニットは、
複数の香源カートリッジが装填可能な嗅覚ディスプレイと、
前記嗅覚ディスプレイを制御する端末装置と、
を含み、
前記サーバは、
映像情報および／または音響情報に同期された香り再生情報を含む香り付きコンテンツを保存する記憶部、
を含み、
前記端末装置は、
前記サーバからダウンロードした前記香り付きコンテンツを再生するコンテンツ再生部、
を含み、
前記香り再生情報は、
再生する香りの種類を特定するために前記システムにおいて標準化されたアロマ番号、
を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香り再生情報に基づいて前記嗅覚ディスプレイから香りを噴射させ、
各嗅覚ユニットは、前記香り再生情報を含む前記香り付きコンテンツを前記サーバを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、
を含み、
前記ユーザインタフェースに表示された時間軸上に前記香り再生情報に対応したアイコンが配置されることにより、前記香り再生情報に記録される香りの噴射時刻が設定される香り付きコンテンツの共有システム。
【請求項８】
請求項６または請求項７に記載の香り付きコンテンツの共有システムにおいて、
前記ユーザインタフェースに配置された前記アイコンに含まれるバーの時間軸方向の長さにより、前記香り再生情報に記録される香りの噴射時間が設定される、香り付きコンテンツの共有システム。
【請求項９】
請求項７に記載の香り付きコンテンツの共有システムにおいて、さらに、
前記サーバにアップロードされている前記香り付きコンテンツを、他の情報公開システムにおいて再生可能に組み込むためのアプリケーションプログラミングインタフェースを提供するプラットフォーム、
を備える香り付きコンテンツの共有システム。
【請求項１０】
請求項７に記載の香り付きコンテンツの共有システムにおいて、
前記サーバは、
前記嗅覚ディスプレイに装填された香源カートリッジの収容された香りの前記アロマ番号を取得し、前記端末装置に対して前記端末装置で再生することを推奨する前記香り付きコンテンツのリストを提示する提示部、
を含む香り付きコンテンツの共有システム。
【発明の詳細な説明】
【技術分野】
【０００１】
本発明は、香りを共有するシステム、詳しくは異なったユーザ間で香りを共有するシステムに関する。また、本発明は、香り再生情報が付加されたコンテンツを共有するシステムに関する。
【背景技術】
【０００２】
物理感覚である視覚あるいは聴覚は、光や音に対する物理的な刺激を受ける。したがって、視覚あるいは聴覚を刺激するコンテンツは、光の波長や振動数、音の周波数や振幅のような連続性のある物理量によって再生可能である。一方、化学感覚である嗅覚は、香り分子が持つパターン（形状やサイズ、官能基の性質など）を離散的情報として識別する感覚である。香り分子は、揮発性の低分子有機化合物であり、空気の流れにより鼻孔に吸い込まれ、嗅粘膜に溶け込んで嗅繊毛を刺激する。
【０００３】
このため、嗅覚を刺激する香りを再現するためには、刺激要素となる低分子有機化合物の混合物を予め用意しておく必要がある。嗅覚を刺激するデバイスを構成するためには、例えば、嗅覚の刺激要素となる香料をカートリッジとしてデバイス内部に装填しておく必要がある。カートリッジに香料を充填する構成である以上、香りの再生回数には限りがある。
【０００４】
嗅覚の場合、視覚の三原色（赤・緑・青）に相当する３９６種類もの嗅覚受容体遺伝子が存在する。そして、これら嗅覚受容体遺伝子が香り分子に対してどのように反応するかは、現状では明確になっていない。このため、現状では、特定のパターンで生成された香り混合物（調香香料）は、同じパターンの調香でのみ再現可能である。
【０００５】
このように嗅覚を刺激する香りの再現には様々な制約があり、これらの制約のもとで香りを再生するデバイスとして嗅覚ディスプレイの研究開発及び事業化が進められている。嗅覚ディスプレイをコントロールするための制御アプリケーションにおいても、これらの制約のもとで開発が行われている。下記特許文献１においては、香り付きコンテンツを、ネットワークを介して接続された情報処理装置に推奨するシステムが開示されている。
【先行技術文献】
【特許文献】
【０００６】
【特許文献１】特許第６２９７８３４号公報
【発明の概要】
【発明が解決しようとする課題】
【０００７】
特許文献１に示されているように、嗅覚ディスプレイをコントロールするための制御アプリケーションは、映像情報や音響情報と連動して予め決められたパターンで生成された香り情報（予め決められた混合率の調香香料）の再生が可能である。あるユーザの環境で生成された香り再生情報を他のユーザと共有する場合、下記のようなケースでは、他のユーザの環境において正確に香りが再現されないといった課題がある。
【０００８】
（１）両ユーザが使用する嗅覚ディスプレイの機種が異なり、装填される香源収容カートリッジの総数が異なる場合。
【０００９】
（２）両ユーザが使用する嗅覚ディスプレイの機種は同じであるが、カートリッジが異なる番地（異なるカートリッジ収容室）に装填されている場合。
例えば、嗅覚ディスプレイＡでは、１番のカートリッジ収容室にレモンの香りのカートリッジが装填されているが、嗅覚ディスプレイＢでは、２番のカートリッジ収容室にレモンの香りのカートリッジが装填されている場合。
【００１０】
（３）両ユーザが使用する嗅覚ディスプレイの機種は同じであるが、一方のデバイスにおいて、ある番地に（あるカートリッジ収容室に）カートリッジが装填されていない場合。
例えば、嗅覚ディスプレイＡでは、１番のカートリッジ収容室にレモンの香りのカートリッジが装填されているが、嗅覚ディスプレイＢでは、１番のカートリッジ収容室にカートリッジが装填されていない場合。
【００１１】
（４）両ユーザが使用する嗅覚ディスプレイの機種は同じであるが、ある番地に（あるカートリッジ収容室に）異なるカートリッジが装填されている場合。
例えば、嗅覚ディスプレイＡでは、１番のカートリッジ収容室にレモンの香りのカートリッジが装填されているが、嗅覚ディスプレイＢでは、１番のカートリッジ収容室にジャスミンの香りのカートリッジが装填されている場合。
【００１２】
（５）上記（１）〜（４）の条件を含み、複数の嗅覚ディスプレイを連結して再生する場合。
【００１３】
本発明の香り共有システムは、上記のような制約を受ける環境下においても、異なるユーザ間で香りを共有することが可能な仕組みを提供することを課題とする。また、本発明の香り付きコンテンツの共有システムは、上記のような制約を受ける環境下においても、異なるユーザ間で映像情報および／または音響情報に香りが付加されたコンテンツを共有する仕組みを提供することを課題とする。そして、本発明においては、香りを共有するシステムにおいて、香り再生情報の編集の操作性を向上させることを課題とする。
【課題を解決するための手段】
【００１４】
（１）本発明に係る香り共有システムは、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、再生する香りの種類を特定するためにシステムにおいて標準化されたアロマ番号を含んだ香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香り再生情報に基づいて嗅覚ディスプレイから香りを噴射させ、各嗅覚ユニットは、香り再生情報を前記ネットワークを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含み、生成部は、生成部による編集を行うためのユーザインタフェースを含み、ユーザインタフェースに表示された時間軸上に香り再生情報に対応したアイコンが配置されることにより、香り再生情報に記録される香りの噴射時刻が設定される。
【００１５】
端末装置は、標準化されたアロマ番号が含まれる香り再生情報に基づいて香りを再生する。これにより、嗅覚ディスプレイに装填されている香源カートリッジの番地が異なる場合、嗅覚ディスプレイに装填可能な香源カートリッジの数が異なる場合など、異なる環境下においても、香り再生情報で指定された香りを再生することが可能である。
【００１６】
これにより、嗅覚ディスプレイの機種が異なる場合、香源カートリッジの装填状態が異なる場合など、様々な環境下においても香りの再現性を高めることができる。香り再生情報を編集し生成した者の意図に沿った香りを噴射することが可能である。
【００１７】
また、ユーザインタフェースに表示された時間軸上に香り再生情報に対応したアイコンが配置されることにより、香り再生情報に記録される香りの噴射時刻が設定されるので、ユーザは、香りの噴射タイミングを視覚的に把握しながら香り再生情報を編集することができる。
【００１８】
（２）本発明に係る香り共有システムは、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、再生する香りの種類を特定するためにシステムにおいて標準化されたアロマ番号を含んだ香り再生情報を保存する記憶部を含む。端末装置は、サーバからダウンロードした香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香り再生情報に基づいて嗅覚ディスプレイから香りを噴射させる。各嗅覚ユニットは、香り再生情報をサーバを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含む。生成部は、生成部による編集を行うためのユーザインタフェースを含む。ユーザインタフェースに表示された時間軸上に香り再生情報に対応したアイコンが配置されることにより、香り再生情報に記録される香りの噴射時刻が設定される。
【００１９】
端末装置は、サーバを介して標準化されたアロマ番号が含まれる香り再生情報を共有することができる。これにより、嗅覚ディスプレイに装填されている香源カートリッジの番地が異なる場合、嗅覚ディスプレイに装填可能な香源カートリッジの数が異なる場合など、異なる環境下においても、香り再生情報で指定された香りを再生することが可能である。
【００２０】
また、ユーザインタフェースに表示された時間軸上に香り再生情報に対応したアイコンが配置されることにより、香り再生情報に記録される香りの噴射時刻が設定されるので、ユーザは、香りの噴射タイミングを視覚的に把握しながら香り再生情報を編集することができる。
【００２１】
（３）ユーザインタフェースに配置されたアイコンに含まれるバーの時間軸方向の長さにより、香り再生情報に記録される香りの噴射時間が設定される。
【００２２】
ユーザは、香りの噴射時間を視覚的に把握しながら香り再生情報を編集することができる。
【００２３】
（４）嗅覚ディスプレイは、複数の香源カートリッジを装填するための複数のカートリッジ収容室を含む。端末装置は、各カートリッジ収容室に装填された各香源カートリッジに収容されている香りの種類をアロマ番号により設定する設定部を含む。
【００２４】
香源カートリッジがいずれのカートリッジ収容室に装填されている場合であっても、端末装置は香源カートリッジの装填場所を把握可能である。これにより、香り再生情報で指定された香源カートリッジを選択して、適切な香りを再生することが可能である。
【００２５】
（５）再生部は、香り再生情報に記録されているアロマ番号に対応する香りを再生するための香源カートリッジが嗅覚ディスプレイに装填されていないとき、予め設定されたアルゴリズムを利用して、近似する香りを再生するための香源カートリッジを用いて香りを再生することを決定する。
【００２６】
香り再生情報に含まれるアロマ番号と同一の香りが充填された香源カートリッジが嗅覚ディスプレイに装填されていない場合であっても、予め設定されたアルゴリズムを利用して、近似する香りを再生するための香源カートリッジを用いて香りを再生することを決定し、香り再生情報を編集し生成した者の意図に近い香りを再生することができる。
【００２７】
また、コンテンツ共有システムは、端末装置の生成部が生成した香り再生情報を他の端末装置に伝達する。
【００２８】
端末装置を利用するユーザは、好みの香り、または、要望に応じて生成した香りを他の端末に伝達することができる。これにより、ユーザが生成した香りをシステム内に共有することができる。
【００２９】
（６）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、映像情報および／または音響情報に同期された香り再生情報を含む香り付きコンテンツを再生するコンテンツ再生部を含む。香り再生情報は、再生する香りの種類を特定するためにシステムにおいて標準化されたアロマ番号を含んでおり、コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香り再生情報に基づいて嗅覚ディスプレイから香りを噴射させる。各嗅覚ユニットは、香り再生情報を含む香り付きコンテンツをネットワークを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定される。
【００３０】
端末装置は、標準化されたアロマ番号が含まれる香り再生情報に基づいて香り付きコンテンツを再生する。これにより、嗅覚ディスプレイに装填されている香源カートリッジの番地が異なる場合、嗅覚ディスプレイに装填可能な香源カートリッジの数が異なる場合など、異なる環境下においても、香り付きコンテンツを再生することが可能である。
【００３１】
これにより、嗅覚ディスプレイの機種が異なる場合、香源カートリッジの装填状態が異なる場合など、様々な環境下においても香り付きコンテンツの再現性を高めることができる。香り付きコンテンツを編集し生成した者の意図に沿った香りを噴射することが可能であり、香り付きコンテンツの利用が促進される。
【００３２】
また、ユーザインタフェースに表示された時間軸上に香り再生情報に対応したアイコンが配置されることにより、香り再生情報に記録される香りの噴射時刻が設定される。ユーザは、香り付きコンテンツが再生される時間軸上において香りの噴射タイミングを視覚的に把握しながら香り再生情報を編集することができる。
【００３３】
（７）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、映像情報および／または音響情報に同期された香り再生情報を含む香り付きコンテンツを保存する記憶部を含む。端末装置は、サーバからダウンロードした香り付きコンテンツを再生するコンテンツ再生部を含む。香り再生情報は、再生する香りの種類を特定するためにシステムにおいて標準化されたアロマ番号を含む。コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香り再生情報に基づいて嗅覚ディスプレイから香りを噴射させる。各嗅覚ユニットは、香り再生情報を含む香り付きコンテンツをサーバを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定される。
【００３４】
端末装置は、サーバを介して標準化されたアロマ番号が含まれる香り再生情報に基づいて香り付きコンテンツを共有することができる。これにより、嗅覚ディスプレイに装填されている香源カートリッジの番地が異なる場合、嗅覚ディスプレイに装填可能な香源カートリッジの数が異なる場合など、異なる環境下においても、香り付きコンテンツを再生することが可能である。
【００３５】
また、ユーザインタフェースに表示された時間軸上に香り再生情報に対応したアイコンが配置されることにより、香り再生情報に記録される香りの噴射時刻が設定される。ユーザは、香り付きコンテンツが再生される時間軸上において香りの噴射タイミングを視覚的に把握しながら香り再生情報を編集することができる。
【００３６】
（８）ユーザインタフェースに配置されたアイコンに含まれるバーの時間軸方向の長さにより、香り再生情報に記録される香りの噴射時間が設定される。
【００３７】
ユーザは、香りの噴射時間を視覚的に把握しながら香り再生情報を編集することができる。
【００３８】
また、香り付きコンテンツの共有システムは、端末装置のコンテンツ生成部が生成した香り再生情報を含む香り付きコンテンツを他の端末装置に伝達する。
【００３９】
端末装置を利用するユーザは、香り再生情報を含む香り付きコンテンツを他の端末に伝達することができる。これにより、ユーザが生成した香りを映像情報および／または音響情報に同期させたコンテンツをシステム内で共有することができる。
【００４０】
（９）香り付きコンテンツの共有システムは、さらに、サーバにアップロードされている香り付きコンテンツを、他の情報公開システムにおいて再生可能に組み込むためのアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）を提供するプラットフォームを備える。
【００４１】
ユーザは、サーバに記憶されたアプリケーションプログラミングインタフェースを利用することで、様々なアプリケーションに香り付きコンテンツを再生可能に埋め込むことができる。ユーザは、例えばソーシャルネットワーキングサービス（ＳＮＳ）やブログなどにおいて、香り付きコンテンツを公開することが可能である。
【００４２】
（１０）サーバは、嗅覚ディスプレイに装填された香源カートリッジの収容された香りのアロマ番号を取得し、端末装置に対して端末装置で再生することを推奨する香り付きコンテンツのリストを提示する提示部を含む。
【００４３】
端末装置に接続された嗅覚ディスプレイには、ユーザによって様々な香源カートリッジが装填されている。提示部によって推奨コンテンツを提示することにより、ユーザの環境に応じて再現性の高い香り付きコンテンツを提供することが可能である。
【発明の効果】
【００４４】
異なるユーザ間で、同じ香りを共有する仕組みを提供することが可能である。また、異なるユーザ間で映像情報および／または音響情報に香りが付加されたコンテンツを共有する仕組みを提供することが可能である。ユーザは、システムのインタフェース上で香りの噴射タイミングを視覚的に把握しながら香り再生情報を編集することができる。
【図面の簡単な説明】
【００４５】
【図１】本実施の形態に係るコンテンツ共有システムの全体図である。
【図２】嗅覚ディスプレイの外観図とディスプレイ本体部の概略図である。
【図３】ディスプレイ本体部の正面図である。
【図４】ディスプレイ本体部のＶＩ−ＶＩ側面断面図である。
【図５】香源カートリッジの斜視図である。
【図６】標準化されたアロマ番号表を示す図である。
【図７】端末装置のディスプレイに表示された香源カートリッジの設定画面を示す図である。
【図８】端末装置のディスプレイに表示された香源カートリッジの設定画面を示す図である。
【図９】端末装置のディスプレイに表示されたコンテンツプレイヤーのユーザインタフェースを示す図である。
【図１０】端末装置の内部構造を示すブロック図である。
【図１１】香り付きコンテンツのデータ構造を示す図である。
【図１２】アロマコードを示す図である。
【図１３】コンテンツ共有システムの利用イメージを示す図である。
【図１４】香源カートリッジの選択アルゴリズムを示すフローチャートである。
【発明を実施するための形態】
【００４６】
以下、図面を参照しつつ、本発明の実施の形態に係るコンテンツ共有システム１００の構成について説明する。本実施の形態に係るコンテンツ共有システム１００は、映像情報、音響情報に加えて香り再生情報が付加された香り付きコンテンツ２００をネットワーク経由で共有するシステムである。ここでは、香り付きコンテンツ２００によって、異なるユーザ間で香りを共有する実施の形態を説明するが、本発明は、映像情報および音響情報に付加されることなく、香りだけを共有するシステムにも適用可能である。
【００４７】
｛１．コンテンツ共有システムのシステム全体概要｝
図１は、本発明の実施の形態に係るコンテンツ共有システム１００の全体図である。コンテンツ共有システム１００は、コンテンツ提供サイト１、インターネット２、端末装置３および嗅覚ディスプレイ４などを備えて構成されている。コンテンツ提供サイト１に設置されたサーバ１０は、インターネット２に接続されている。サーバ１０は、映像情報、音響情報に加えて香り再生情報が付加された香り付きコンテンツ２００を配信するサーバである。
【００４８】
端末装置３は、サーバ１０が配信する香り付きコンテンツ２００を再生する端末である。図１においては、端末装置３として二つの端末装置３Ａ、３Ｂが接続されている。嗅覚ディスプレイ４は、端末装置３において香り付きコンテンツ２００を再生するときに香りを噴射する装置である。図１においては、端末装置３Ａに嗅覚ディスプレイ４Ａが接続され、端末装置３Ｂに嗅覚ディスプレイ４Ｂが接続されている。以下の説明において、端末装置３Ａ、３Ｂを特に区別しない場合には、端末装置３として総称して説明する。また、嗅覚ディスプレイ４Ａ、４Ｂを特に区別しない場合には、嗅覚ディスプレイ４として総称して説明する。端末装置３および嗅覚ディスプレイ４によって、本発明の「嗅覚ユニット」を構成している。
【００４９】
本実施の形態において、端末装置３Ａはタブレットであり、端末装置３Ｂはスマートフォンである。端末装置３は、タブレットやスマートフォンに限らず、パーソナルコンピュータなどネットワーク接続可能な各種の端末を利用することができる。
【００５０】
本実施の形態においては、１台の端末装置３に１台の嗅覚ディスプレイ４を接続する構成としているが、１台の端末装置３に複数台の嗅覚ディスプレイ４を接続するようにしてもよい。また、複数台の端末装置３が１台の嗅覚ディスプレイ４に接続されていて各端末装置３が１台の嗅覚ディスプレイ４を共有する構成も可能である。端末装置３は、香り付きコンテンツ２００の再生機能だけを有する装置と、香り付きコンテンツ２００の再生機能に加えて、香り付きコンテンツ２００を編集し生成する機能を有する装置がある。本実施の形態においては、端末装置３Ａおよび端末装置３Ｂは共に、香り付きコンテンツ２００の再生機能に加えて編集生成機能を備えている。
【００５１】
｛２．嗅覚ディスプレイの構成｝
図２は、嗅覚ディスプレイ４を示す図である。嗅覚ディスプレイ４は、香りを噴射するディスプレイ本体部４０とディスプレイ本体部４０を支える三脚４９を備えている。嗅覚ディスプレイ４は、本実施の形態においてはＵＳＢ（Ｕｎｉｖｅｒｓａｌ  Ｓｅｒｉａｌ  Ｂｕｓ）ケーブルを介して端末装置３に接続されている。嗅覚ディスプレイ４と端末装置３との接続形態は特に限定されない。嗅覚ディスプレイ４は、Ｂｌｕｅｔｏｏｔｈ（登録商標）などの無線通信を利用して端末装置３に接続されてもよい。
【００５２】
嗅覚ディスプレイ４のディスプレイ本体部４０には図２に示すように、６個の香源カートリッジ５、５・・・が装填可能となっている。香源カートリッジ５は、嗅覚ディスプレイ４によって噴射する香りの成分を充填している。本実施の形態においては、嗅覚ディスプレイ４は、６個の香源カートリッジ５を装填可能となっているが、装填可能な香源カートリッジ５の数はこれに限定されるものではない。図２に示したように、ディスプレイ本体４０には、カートリッジ収容室番号が印字されている。本実施の形態の嗅覚ディスプレイ４は、６個の香源カートリッジ５を装填可能となっているので、６個の香源カートリッジ５を装填するカートリッジ収容室それぞれ対応して、カートリッジ収容室番号｛１｝〜｛６｝が印字されている。
【００５３】
図３は、嗅覚ディスプレイ４のディスプレイ本体部４０の内部構造を示す正面図である。図３においては、ディスプレイ本体部４０が備える噴射板４４（図４に図示）を取り外した状態を示している。また、図３においては、ディスプレイ本体部４０に香源カートリッジ５が装填されていない状態を示している。
【００５４】
ディスプレイ本体部４０は、筐体４５、および筐体４５の内部空間を６個の部屋に区画する隔壁４６、４６・・・を備える。隔壁４６、４６・・・で隔てられた６個の区画は、６個のカートリッジ収容室４７、４７・・・を形成している。
【００５５】
図４は、図３のＩＶ‐ＩＶ線におけるディスプレイ本体部４０の側面断面図である。筐体４５は、ベース部４１、スライドカバー４２、および噴射板４４を備えている。ベース部４１、スライドカバー４２および噴射板４４は、例えば、アクリル樹脂で構成されている。
【００５６】
ベース部４１は、正面視で略六角形状に形成され、筐体４５の後方側（ユーザとは逆側）に配置される。図３に示すように、ベース部４１の周縁部には、６本の支柱４３が設けられ、各支柱４３の間には、スライドカバー４２が配置されている。スライドカバー４２は、支柱４３に沿ってスライド可能であり、スライドカバー４２を取り外すことで、筐体４５内に香源カートリッジ５を装填可能である。
【００５７】
支柱４３およびスライドカバー４２の前端部、つまり筐体４５の前端には、噴射板４４が取り付けられている。噴射板４４は、略六角形状に形成されている。噴射板４４の中央部には、噴射口４４１が形成される。
【００５８】
図４に示すように、ベース部４１の中央には、前方に向って延びる中央部材４１１が植立されている。中央部材４１１は、ベース部４１から前方に延び、その先端は噴射口４４１の下方位置に位置している。
【００５９】
カートリッジ収容室４７には、噴射板４４に形成される噴射口４４１と接続される香気通路４７１が形成されている。これにより、カートリッジ収容室４７内に装填された香源カートリッジ５から噴射された香気が、香気通路４７１を通って噴射口４４１に送られる。
【００６０】
図３に示すように、カートリッジ５から香気を噴出させるための風力源６１は、隔壁４６内に配置されている。つまり、本実施の形態においては、６個の隔壁４６、４６・・・のそれぞれに６個の風力源６１、６１・・・が収容されている。風力源６１の中央部に設けられたノズルの吐出口は、カートリッジ収容室４７内に接続されており、カートリッジ収容室４７に装填された香源カートリッジ５内に空気を流入させる。本実施の形態においては、風力源６１は、圧電素子（ピエゾ素子）を利用したダイヤフラムで構成されている。圧電素子に高周波の交流電圧やパルス電圧を印加することによって、ダイヤフラムを板厚方向に高速で屈曲振動させて、空気の流れを発生させる。
【００６１】
図４に示すように、ベース部４１内は、補助風力源６２が設けられる。補助風力源６２は、カートリッジ収容室４７から独立して設けられるものであり、香気の加速、香気成分の濃度調整および消臭などに利用される。本実施の形態においては、補助風力源６２も圧電素子（ピエゾ素子）を利用したダイヤフラムで構成されている。なお、この補助風力源６２を構成する圧電素子は、カートリッジ収容室４７に装填された香源カートリッジ５内に空気を流入させるための風力源６１を構成するピエゾ素子と同じ大きさであってもよいが、風力源６１のピエゾ素子より大きなものを採用することも可能である。
【００６２】
図４に示すように、中央部材４１１には、補助風力源６２のノズルから吐出された空気（無臭の空気）の通り道となる補助風力路４１２が形成されている。補助風力路４１２は、補助風力源６２のノズルと噴射口４４１とを直線的に接続する通路である。補助風力源６２が駆動すると、補助風力源６２のノズルから補助風力路４１２内に無臭の空気が吐出される。この無臭の空気は、噴射口４４１まで直行するので、圧力低下をほぼ発生させることなく噴射口４４１から噴射される。上述したように、この補助風力源６２を構成するピエゾ素子として大きなものを採用することによって、無臭の空気の吐出量を増大させることができ、香気の加速、香気成分の濃度調整および消臭などの機能を向上させることが可能となる。
【００６３】
図５に示すように、香源カートリッジ５は、ポリエチレンあるいはポリプロピレンなどの合成樹脂等によって形成される容器本体５０を備える。本実施の形態においては、容器本体５０は、カートリッジ収容室４７に装填可能に三角柱状に形成される。容器本体５０には、吸気口５１が設けられている。この吸気口５１は、香源カートリッジ５をカートリッジ収容室４７に装填させたとき、風力源６１のノズルに対応する位置に配置される。
【００６４】
図５に示すように、容器本体５０の上端隅部には、香気噴出口５２が設けられている。この香気噴出口５２は、香源カートリッジ５をカートリッジ収容室４７に装填させたとき、香気通路４７１に対応する位置に配置される。
【００６５】
容器本体５０の内部には、固形状の香源５３が充填される。香源５３は、たとえば、粒状の多孔質体に液体香料を染み込ませて、多孔質体の外表面および細孔内に液体香料を保持させることによって製作される。香料としては、天然香料、合成香料、およびそれらの調合香料が使用できる。多孔質体としては、ケイ酸カルシウムなどの粒状体を利用できる。多孔質体の粒径および形状は特に限定されない。固形状の香源５３を用いることによって、香源５３から香料（香り成分）を長期間に亘って徐々に放出させることができる。
【００６６】
香源カートリッジ５をディスプレイ本体部４０のカートリッジ収容室４７に装填するときには、スライドカバー４２を開状態にし、香源カートリッジ５をカートリッジ収容室４７に収容する。その後、スライドカバー４２を閉状態にすることにより、香源カートリッジ５の装填が完了する。
【００６７】
香源カートリッジ５をカートリッジ収容室４７に装填したあと、風力源６１の圧電素子に対して交流電圧を印加すると、ダイヤフラムが高速で屈曲振動され、この作動により、風力源６１のノズルから吸気口５１を介して香源カートリッジ５内に高速かつ高圧の空気が送り込まれる。香源カートリッジ５内の空気には、香源５３から揮発した気体状の香り成分が含まれており、その香り成分を含む空気（香気）は、香気噴出口５２から香気通路４７１内に吐出される。
【００６８】
同時に、あるいはタイミングをずらせて、補助風力源６２を駆動させる。補助風力源６２のノズルから吐出された無臭の空気は、直線状の補助風力路４１２を通って噴射口４４１まで直行する。香気噴出口５２から香気通路４７１に吐出された香気は、補助風力源６２から吐出された無臭の空気と合流して加速され、噴射口４４１から勢いよく直進性を持って噴射される。そして、風力源６１の圧電素子に対する電圧の印加が停止されると、噴射口４４１からの香気の噴射も瞬時に停止される。あるいは、風力源６１を停止させることで香源カートリッジ５から噴出される香気を停止させつつ、補助風力源６２から無臭の空気を吐出させ続けることによって噴射口４４１からの噴射された香気を飛散させ、消臭することができる。これにより、空間と時間を限定した香りを制御することが可能となる。
【００６９】
この実施の形態においては、６個のカートリッジ収容室４７、４７・・・を備え、６個の香源カートリッジ５、５・・・を収容可能である。これにより、６種類の香りを個別に提示できるのはもちろんのこと、複数のカートリッジ収容室４７、４７・・・の風力源６１、６１・・・を同時に、あるいは時間をずらせて作動させることにより、各カートリッジ収容室４７からのそれぞれの香りを調合して提示できる。また、風力源６１、６１・・・への印加電圧並びにそのデューティ比を調整すること等によって、香りを調合する割合を変化させることもできる。また、補助風力源６２から送風する無臭の空気の量を調整することで、香源カートリッジ５から噴出される香気の濃度を調整することができる。
【００７０】
｛３．アロマ番号の標準化｝
アロマ番号（ＡＣＩＮ：Ａｒｏｍａ  Ｃａｒｔｒｉｄｇｅ  Ｉｄｅｎｔｉｆｉｅｒ  Ｎｕｍｂｅｒ）は、コンテンツ共有システム１００において標準化された香り（アロマ）のコードを示している。つまり、嗅覚ディスプレイ４に装填される香源カートリッジ５には、そのカートリッジに充填される香りの種類に応じてアロマ番号が付与されている。ユーザは、アロマ番号を指定することで、過去に購入した香源カートリッジ５や、他の人から推奨を受けた香源カートリッジ５を購入することができる。コンテンツ共有システム１００において使用される香りは、全ての種類がコード化されている。つまり、コンテンツ共有システム１００において使用される香源カートリッジ５は、全ての種類にアロマ番号（ＡＣＩＮ）が付与されている。したがって、端末装置３Ａとは遠隔地にいる端末装置３Ｂにおいても、アロマ番号（ＡＣＩＮ）を利用することで、香り付きコンテンツ２００を再生するときに、同じ香りを再現することができる。なお、香源カートリッジ５の容器本体５０に充填される香源５３を交換可能とし、香源カートリッジ５を再利用することもできる。
【００７１】
図６は、標準化されたアロマ番号（ＡＣＩＮ）を示す図である。コンテンツ共有システム１００で使用する香りは、大分類、中分類、小分類の３段階の分類でコード化されている。大分類は、「天然」と「合成」の２分類となっている。天然と合成のそれぞれは、「柑橘系」、「飲料系」、「花系」、「食品系」、「果物系」、「植物系」・・・などの中分類に分類されている。柑橘系は、「ベルガモット」、「シトロネラ」、「グレープフルーツ」、「カボス」、「レモン」、「ライム」・・・などの小分類に分類されている。そして、ベルガモットには、アロマ番号としてＮ−ＣＴ１が、シトロネラには、アロマ番号としてＮ−ＣＴ２が割り当てられている。もちろん、図６に示したアロマ番号（ＡＣＩＮ）のコード、コード体系、分類などは一例である。
【００７２】
図６で示すアロマ番号（ＡＣＩＮ）は、アロマ番号表２１０として、サーバ１０、端末装置３に保存されている。アロマ番号表２１０を共有することによって、遠隔地にいるユーザであっても、同一のあるいは近似した香りを共有することが可能となっている。
【００７３】
｛４．アロマ番号の登録｝
コンテンツ共有システム１００を利用するユーザは、嗅覚ディスプレイ４に装填する香源カートリッジ５、５・・・を購入する。香源カートリッジ５には、様々な香気成分が充填されている。香源カートリッジ５に収容されている香気成分には、図６を用いた標準化されたアロマ番号が割り当てられている。
【００７４】
ユーザは、購入した香源カートリッジ５、５・・・を、嗅覚ディスプレイ４のディスプレイ本体部４０に装填する。上述したように、本実施の形態のディスプレイ本体部４０には６個の香源カートリッジ５、５・・・を装填することが可能である。
【００７５】
ユーザは、次に、嗅覚ディスプレイ４が接続された端末装置３において、嗅覚ディスプレイ４を設定するための設定プログラムＳＰ（図１０に図示）を起動する。図７は、端末装置３のモニタに表示された設定プログラムＳＰの設定画面８０を示す図である。図に示すように、ユーザは、設定画面８０において、カートリッジ収容室４７、４７・・・に装填した香源カートリッジ５、５・・・のアロマ番号を指定する操作を行う。
【００７６】
上述したように、ディスプレイ本体４０のカートリッジ収容室４７、４７・・・には、ユーザが確認できるようにカートリッジ収容室番号が印字されている。ユーザは、各カートリッジ収容室番号を確認し、カートリッジ収容室４７に装填した香源カートリッジ５のアロマ番号を設定画面８０において設定する。
【００７７】
例えばユーザがカートリッジ収容室番号｛１｝のカートリッジ収容室４７に装填した香源カートリッジ５を設定する場合、図７の設定画面８０において、「Ａｒｏｍａ  Ｃａｒｔｒｉｇｅ  １」と表示された項目のプルダウンメニューを選択する。これにより、図８に示すように、アロマ番号のリスト８２が表示される。ユーザは、アロマ番号のリスト８２の中から、装填した香源カートリッジ５のアロマ番号を選択する。これにより、カートリッジ収容室番号｛１｝に装填された香源カートリッジ５のアロマ番号が登録される。同様の操作により、カートリッジ収容室番号｛２｝〜｛６｝に装填された香源カートリッジ５のアロマ番号が登録される。カートリッジ収容室番号｛１｝〜｛６｝に装填された香源カートリッジ５のアロマ番号は、設定情報ＳＩ（図１０に図示）として端末装置３に保存される。
【００７８】
｛５．コンテンツ共有システムの構成および処理の流れ｝
次に、本実施の形態のコンテンツ共有システム１００の処理の流れについて説明する。図１を用いて説明したように、コンテンツ共有システム１００には、端末装置３Ａおよび端末装置３Ｂが接続されている。ここでは、端末装置３Ａが、映像情報、音響情報に加えて香り再生情報が付加された香り付きコンテンツ２００を編集生成し、香り付きコンテンツ２００をサーバ１０にアップロードする場合を例に説明する。また、端末装置３Ｂが、端末装置３Ａがアップロードした香り付きコンテンツ２００をサーバ１０からダウンロードして再生する場合を例に説明する。
【００７９】
図９は、端末装置３Ａおよび端末装置３Ｂのディスプレイに表示されたコンテンツプレイヤーＣＰのユーザインタフェース７０を示す図である。コンテンツプレイヤーＣＰは、香り付きコンテンツ２００を再生するためのプログラムであり、端末装置３Ａおよび端末装置３Ｂにインストールされている。コンテンツプレイヤーＣＰが、端末装置３のＣＰＵ３１、メモリ３２等のハードウェア資源を利用して実現される機能部が、本発明の「コンテンツ再生部」に対応している。
【００８０】
図１０は、端末装置３（３Ａあるいは３Ｂ）の機能ブロック図である。端末装置３は、ＣＰＵ３１、メモリ３２およびハードディスクドライブ（ＨＤＤ）またはソリッドステートドライブ（ＳＤＤ）などの補助記憶装置３３を備えている。補助記憶装置３３には、コンテンツプレイヤーＣＰ、設定プログラムＳＰがインストールされている。また、補助記憶装置３３には設定情報ＳＩ、アロマ番号表２１０が保存されている。また、補助記憶装置３３には、サーバからダウンロードし、あるいは自身で編集生成した香り付きコンテンツ２００が保存されている。端末装置３は、ＣＰＵ３１およびメモリ３２のハードウェア資源を利用して、コンテンツプレイヤーＣＰを実行させることにより、香り付きコンテンツ２００の再生を行うことが可能である。
【００８１】
コンテンツプレイヤーＣＰには、香り付きコンテンツ２００の再生のみが可能なエディションと、香り付きコンテンツ２００の再生および編集生成が可能なエディションが用意されている。本実施の形態においは、端末装置３Ａおよび端末装置３Ｂには、香り付きコンテンツの再生および編集生成が可能なエディションがインストールされている。香り付きコンテンツ２００の編集生成を行わず、再生のみを行うユーザは、端末装置３に、香り付きコンテンツ２００の再生のみが可能なエディションをインストールすればよい。
【００８２】
図９に示すように、コンテンツプレイヤーＣＰのユーザインタフェース７０には、映像再生エリア７１、データ操作メニュー７２、アロマ選択メニュー７３、映像コントロールエリア７４、再生時間表示エリア７５およびタイムライン表示エリア７６を備えている。データ操作メニュー７２およびアロマ選択メニュー７３は、香り付きコンテンツ２００を編集生成するときに利用するメニューである。
【００８３】
映像再生エリア７１には、香り付きコンテンツ２００に含まれる映像が再生されるエリアである。なお、香り付きコンテンツ２００に含まれる音響は、端末装置３が備える図示せぬスピーカーから出力される。香り付きコンテンツ２００には、香りに関する情報としてアロマ番号（ＡＣＩＮ）で特定される香りを、どのタイミングでどれだけの時間噴射するかを示すアロマコード（Ａｒｏｍａ  Ｃｏｄｅ）が付加されている。香り付きコンテンツ２００を再生するとき、アロマコードに基づいて嗅覚ディスプレイ４から香気が噴射される。アロマコードは、本発明における「香り再生情報」に対応している。なお、様々なシーンに対応する多くのアロマコードがアロマデータを構成している。
【００８４】
データ操作メニュー７２には、映像情報および／または音響情報参照アイコン（Ｍ）、アロマデータ参照アイコン（Ａ）およびアロマデータ保存アイコン（Ｓ）が表示されている。ユーザは、映像・音響情報参照アイコン（Ｍ）を選択することにより、映像・音響情報を読み込むことができる。映像・音響情報は、例えば、端末装置３の補助記憶装置３３に保存されているデータを読み込んでもよいし、インターネット２に接続されたいずれかのサイトからダウンロードしたものを読み込んでもよい。
【００８５】
ユーザは、アロマデータ参照アイコン（Ａ）を選択することでアロマデータ２０１を読み込むことができる。アロマデータ２０１は、「香りの再生情報」であるアロマコードを記録したデータである。具体的には、アロマデータ２０１は、複数のアロマコードで構成されるデータである。ユーザは、アロマデータ保存アイコン（Ｓ）を選択することで、編集済みのアロマデータ２０１を保存することが可能である。編集済みのアロマデータ２０１は、映像情報および音響情報と付加されて香り付きコンテンツ２００として、端末装置３の補助記憶装置３３に保存される。
【００８６】
図１１は、香り付きコンテンツ２００のデータ構造を示す図である。図に示すように、香り付きコンテンツ２００は、映像情報、音響情報およびアロマコード（香り再生情報）によって構成されたアロマデータ２０１を備えて構成されている。
【００８７】
再び図９を参照する。アロマ選択メニュー７３には、カートリッジ収容室番号｛１｝〜｛６｝の香りを選択するためのアイコンが表示されている。カートリッジ収容室番号｛１｝〜｛６｝の香りは、カートリッジ収容室番号｛１｝〜｛６｝にそれぞれ装填された香源カートリッジ５、５・・・に対応している。カートリッジ収容室番号｛７｝番は、ブースター（無臭）に対応している。つまり、上述した補助風力源６２から吐出される空気に対応している。
【００８８】
映像コントロールエリア７４には、リピート再生、巻き戻し、再生を指示するアイコンが表示されている。また、映像コントロールエリア７４には、映像再生時間を表示するエリアが設けられている。
【００８９】
再生時間表示エリア７５には、映像の再生時間（Ｖｉｄｅｏ  Ｄｕｒａｔｉｏｎ）を表示するエリアと、アロマデータ２０１の再生時間（Ａｒｏｍａ  Ｄｕｒａｔｉｏｎ）を表示するエリアが設けられている。
【００９０】
タイムライン表示エリア７６には、アロマデータ２０１の記録内容が、時間軸上に表示されている。ユーザは、アロマ選択メニュー７３に表示されたカートリッジ収容室番号｛１｝〜｛６｝のアイコンをタイムライン表示エリア７６にドラッグアンドドロップすることにより、時間軸上に香りを配置し、アロマデータ２０１を編集することができる。図９において、時間軸は左から右に向って進んでいる。図で示すアロマデータ２０１には、最初にカートリッジ収容室番号｛１｝に対応する香りとカートリッジ収容室番号｛７｝に対応する無臭の空気（ブースターとしての空気）が同時に噴射され、次に、カートリッジ収容室番号｛２｝およびカートリッジ収容室番号｛３｝に対応する香りとカートリッジ収容室番号｛７｝に対応する無臭の空気が同時に噴射され、少し時間を空けてカートリッジ収容室番号｛４｝に対応する香りとカートリッジ収容室番号｛７｝に対応する無臭の空気が同時に噴射される情報が記録されている。図で示すアロマデータ２０１には、続いて、再びカートリッジ収容室番号｛１｝に対応する香りと無臭の空気が同時に噴射され、最後にカートリッジ収容室番号｛４｝に対応する香りと無臭の空気が同時に噴射される情報が記録されている。
【００９１】
タイムライン表示エリア７６に表示される香りアイコンには、噴射時間バー７６１が表示されている。噴射時間バー７６１は、香りの噴射時間をバーの長さで表現している。ユーザは、タイムライン表示エリア７６に表示される香りアイコンを選択することで、香りのプロパティを表示させ、香りの噴射に関する設定を行うことができる。香りの噴射に関する設定項目には、噴射時刻、噴射時間、噴射濃度などがある。タイムライン表示エリア７６に配置された香りアイコンのそれぞれにアロマコードが生成される。そして、香りアイコンの数に対応したアロマコードの集合がアロマデータ２０１として構成されている。
【００９２】
なお噴射濃度は、フル噴射濃度を１００％として、その何パーセントで噴射するかを示すもので、マウス等の操作デバイスのカーソルを噴射時間バー７６１に移動させ、右クリックすることによって、その設定画面を表示させてもよいし、映像再生エリア７１の右側の空スペースに映像再生エリア７１ごとにパーセント表示することが考えられる。
【００９３】
また、タイムライン表示エリア７６には、コンテンツの再生時にその再生時刻を示すタイム進行バー７６２が表示されている。タイム進行バー７６２の表示位置が再生時刻を示しており、そのタイム進行バー７６２がタイムライン表示エリア７６に配置された香りアイコンに接するとき、その香りアイコンで指定された香りおよび／または無臭の空気が噴射される。このタイム進行バー７６２は、バーそのものが時刻の経過に伴って右方向に移動する方式、あるいはバーそのものは固定していて背景タイムライン表示エリア７６が時刻の経過に伴って左側に移動する方式が考えられる。またこのタイム進行バー７６２として、タイムライン表示エリア７６の直下に時刻の経過に伴って色付きマーカーが右方向に移動する構成も可能である。
【００９４】
このように、本実施の形態のコンテンツ共有システム１００においては、ユーザインタフェース７０に表示された時間軸上にアロマデータ２０１に対応したアイコンが配置されることにより、アロマデータ２０１に記録される香りの噴射時刻が設定される。ユーザは、香りの噴射タイミングを視覚的に把握しながらアロマデータ２０１を編集することができる。また、ユーザインタフェース７０に配置されたアイコンに含まれる噴射時間バー７６１の時間軸方向の長さにより、アロマデータ２０１に記録される香りの噴射時間が設定される。ユーザは、香りの噴射時間を視覚的に把握しながらアロマデータ２０１を編集することができる。
【００９５】
図１２は、アロマデータ２０１に記録されたアロマコード（Ａｒｏｍａ  Ｃｏｄｅ）を示す図である。アロマコードには、アロマ番号（ＡＣＩＮ）、噴射時刻（Ｄｉｆｆｕｓｅ）、噴射時間（Ｄｕｒａｔｉｏｎ）および噴射濃度（Ｄｅｎｓｉｔｙ）が記録されている。
【００９６】
噴射時刻（Ｄｉｆｆｕｓｅ）は、アロマ番号で指定された香りを噴射する時刻を示している。噴射時刻（Ｄｉｆｆｕｓｅ）とは、香り付きコンテンツ２００の再生開始時刻に対する相対的な時刻である。図１２の例では、香り付きコンテンツ２００の再生開始から５分後にアロマ番号Ｎ−ＸＸＸ１の香りの噴射を開始することが記録されている。噴射時間（Ｄｕｒａｔｉｏｎ）は、アロマ番号で指定された香りを噴射する期間を示している。図１２の例では、アロマ番号Ｎ−ＸＸＸ１のアロマを３秒間噴射することが記録されている。つまり、図１２の例では、香り付きコンテンツ２００の再生開始から５分後にアロマ番号Ｎ−ＸＸＸ１の香りの噴射が開始され、その後３秒間、香りの噴射が継続される。噴射濃度（Ｄｅｎｓｉｔｙ）は、アロマ番号Ｎ−ＸＸＸ１の香りを噴射するときの香りの濃度を示している。濃度は、０〜１００％の間で指定される。香り濃度は、上述したように、補助風力源６２からの空気の吐出量を制御することで調整される。
【００９７】
ユーザは、コンテンツプレイヤーＣＰを利用して、上記の操作を行うことにより香り付きコンテンツ２００を編集生成する。香り付きコンテンツ２００には、映像情報、音響情報に加えて、アロマコードが付加されている。コンテンツプレイヤーＣＰにおいて香り付きコンテンツ２００の再生を行うと、映像が映像再生エリア７１において再生される。映像の再生に同期して、端末装置３のスピーカーから音響が再生される。映像および音響の再生と同期して、アロマコードに基づいて香気が噴射される。具体的には、コンテンツプレイヤーＣＰは、アロマコードに基づいて嗅覚ディスプレイ４を制御し、映像および音響の再生に同期した香気を噴射させるのである。
【００９８】
図１３は、端末装置３Ａを利用するユーザＵＡと端末装置３Ｂを利用するユーザＵＢとの間で香り付きコンテンツ２００を共有している様子を示す図である。図１３においては、ユーザＵＡが、端末装置３ＡにインストールされたコンテンツプレイヤーＣＰを利用してユーザインタフェース７０Ａを参照しながら香り付きコンテンツ２００を編集生成する。ユーザＵＡは端末装置３Ａを操作し、編集生成した香り付きコンテンツ２００をサーバ１０にアップロードする。サーバ１０は、アップロードされた香り付きコンテンツ２００を記憶部１１に保存する。香り付きコンテンツ２００は、図１１で示すアロマコードが含まれている。本実施の形態においては、コンテンツプレイヤーＣＰによって、香り付きコンテンツ２００の編集生成とアップロード操作が可能となっている。コンテンツプレイヤーＣＰがＣＰＵ３１およびメモリ３２のハードウェア資源を利用して、香り付きコンテンツ２００を編集生成する機能が、本発明の「コンテンツ生成部」に対応する。
【００９９】
ユーザＵＢは、端末装置３Ｂを操作し、端末装置３Ａがアップロードした香り付きコンテンツ２００をサーバ１０からダウンロードする。ユーザＵＢは、端末装置３ＢにおいてコンテンツプレイヤーＣＰを起動し、ダウンロードした香り付きコンテンツ２００の再生を行う。
【０１００】
端末装置３Ｂのディスプレイには、図９で示したユーザインタフェース７０が表示される。そして、映像再生エリア７１において香り付きコンテンツ２００に含まれている映像が再生される。また、端末装置３Ｂのスピーカーから香り付きコンテンツ２００に含まれている音響が再生される。
【０１０１】
端末装置３Ｂでは、映像と音響の再生に同期して、コンテンツプレイヤーＣＰが嗅覚ディスプレイ４を制御して香りを噴射させる。具体的には、コンテンツプレイヤーＣＰは、香り付きコンテンツ２００に含まれているアロマコードに基づいて嗅覚ディスプレイ４を制御して香りを噴射させる。
【０１０２】
コンテンツプレイヤーＣＰは、アロマコードに記録されているアロマ番号（ＡＣＩＮ）と同一のアロマ番号の香源カートリッジ５が、端末装置３に接続された嗅覚ディスプレイ４に装填されているか否かをチェックする。具体的には、コンテンツプレイヤーＣＰは、設定情報ＳＩを参照し、各カートリッジ収納室４７、４７・・・に収容されている香源カートリッジ５、５・・・のアロマ番号をチェックする。
【０１０３】
コンテンツプレイヤーＣＰは、アロマコードに記録されているアロマ番号と同一のアロマ番号の香源カートリッジ５が装填されている場合には、同一のアロマ番号の香源カートリッジ５から香りを噴射するよう嗅覚ディスプレイ４を制御する。つまり、アロマコードに記録されたアロマ番号の香りを、アロマコードに記録された噴射時刻、噴射時間、濃度に従って、映像と音響に同期させて再生する。
【０１０４】
コンテンツプレイヤーＣＰは、アロマコードに記録されているアロマ番号と同一のアロマ番号の香源カートリッジ５が装填されていない場合には、近似した香りが充填されている香源カートリッジ５から香りを噴射するように嗅覚ディスプレイ４を制御する。
【０１０５】
図１４は、コンテンツプレイヤーＣＰにより実行される香源カートリッジ５の選択アルゴリズムを示すフローチャートである。コンテンツプレイヤーＣＰは、まず、香り付きコンテンツ２００に含まれるアロマコードから再生するアロマ番号を取得する（ステップＳ１）。コンテンツプレイヤーＣＰは、取得したアロマ番号と同一の番号の香源カートリッジ５が、嗅覚ディスプレイ４に装填されているか否かを確認する（ステップＳ２）。コンテンツプレイヤーＣＰは、設定情報ＳＩを参照することにより、接続されている嗅覚ディスプレイ４に装填されている香源カートリッジ５のアロマ番号を確認する。
【０１０６】
取得したアロマ番号と同一の番号の香源カートリッジ５が装填されている場合、コンテンツプレイヤーＣＰは、同一の番号の香源カートリッジ５から香りを噴射するよう嗅覚ディスプレイ４を制御し（ステップＳ３）、香り噴射処理を終了する。
【０１０７】
取得したアロマ番号と同一の番号の香源カートリッジ５が装填されていない場合、コンテンツプレイヤーＣＰは、大分類だけが異なるアロマ番号の香源カートリッジが装填されているか否かを確認する（ステップＳ４）。例えば、アロマコードに記録されているアロ番号が図６で示したベルガモット：Ｎ−ＣＴ１であるとする。つまり、「天然」−「柑橘系」−「ベルガモット」に対応するアロマ番号が記録されているとする。コンテンツプレイヤーＣＰは、同一のアロマ番号の香源カートリッジ５が装填されていないとき、大分類が「合成」であるベルガモット：Ｓ−ＣＴ１が充填された香源カートリッジ５が装填されているか否かを確認する。つまり、「合成」−「柑橘系」−「ベルガモット」に対応する香源カートリッジ５が装填されているか否かを確認する。
【０１０８】
コンテンツプレイヤーＣＰは、大分類だけが異なるアロマ番号の香源カートリッジ５が装填されていることを確認できた場合、大分類だけが異なるアロマ番号の香源カートリッジ５から香りを噴射するよう嗅覚ディスプレイ４を制御し（ステップＳ５）、香り噴射処理を終了する。
【０１０９】
大分類だけが異なるアロマ番号の香源カートリッジ５が装填されていない場合、ステップＳ６に移行する。ステップＳ６において、コンテンツプレイヤーＣＰは、大分類、中分類が同じで、主成分の配合率が近い香気成分を有する香源カートリッジを選択し（ステップＳ６）、香り噴射処理を終了する。
【０１１０】
例えば、アロマコードに記録されているアロマ番号が図６で示したベルガモット：Ｎ−ＣＴ１であるとする。つまり、「天然」−「柑橘系」−「ベルガモット」に対応するアロマ番号が記録されているとする。このアロマ番号と大分類および中分類が同じアロマ番号は、「天然」−「柑橘系」に分類されている「シトロネラ」、「グレープフルーツ」、「カボス」、「レモン」、「ライム」・・・などである。コンテンツプレイヤーＣＰは、この中で、「天然」−「柑橘系」−「ベルガモット」と香気の主成分が最も近似しているアロマ番号の香源カートリッジ５を選択するのである。
【０１１１】
ステップＳ６を実行するために、アロマ番号表２１０には、付随データとして、各アロマ番号の香気の主成分の配合率が記録されている。コンテンツプレイヤーＣＰは、アロマ番号表２１０の付随データを参照することにより、各アロマ番号の香気の主成分の情報を取得し、ステップＳ６の処理を実行する。
【０１１２】
コンテンツプレイヤーＣＰが以上のアルゴリズムを実行することにより、端末装置３Ｂに接続された嗅覚ディスプレイ４は、ユーザＵＡが端末装置３Ａで編集生成したときに意図したものと同一あるいは近似した香気を噴射することができる。これにより、ユーザＵＡが端末装置３Ａで編集生成した映像、音響および香気が同期した香り付きコンテンツ２００を、たとえ端末装置３Ｂが遠隔地に置かれていても再現することが可能である。
【０１１３】
｛６．香り付きコンテンツの推奨サービス｝
上述したように、本実施の形態のコンテンツ共有システム１００を利用することで、遠隔地にいるユーザＵＡとユーザＵＢは、同一あるいは近似した香気を再生させる香り付きコンテンツ２００を共有することが可能である。このシステムを拡張して利用することで、香り付きコンテンツ２００の推奨サービスを提供することも可能である。
【０１１４】
香り付きコンテンツ２００の推奨サービスは、ユーザの保有している嗅覚ディスプレイ４で再現可能な香り付きコンテンツ２００を推奨するサービスである。嗅覚ディスプレイ４に装填されている香源カートリッジ５の情報は、設定情報ＳＩとして端末装置３の補助記憶装置３３に保存されている。端末装置３から設定情報ＳＩをサーバ１０に送信することで、サーバ１０において端末装置３に接続された嗅覚ディスプレイ４に装填された香源カートリッジ５の情報を把握することが可能である。
【０１１５】
図１に戻って、サーバ１０にインストールされているサーバ１０の提示プログラムＤＰは、嗅覚ディスプレイ４で再現可能な香り付きコンテンツ２００の推奨リストを端末装置３に提示する。提示プログラムＤＰは、例えば、ＷＥＢアプリケーションなどを利用して、推奨リストを提示する。最も推奨値の高い香り付きコンテンツ２００は、香り付きコンテンツ２００に含まれるアロマデータ２０１に記録された全てのアロマ番号について、対応する香源カートリッジ５が嗅覚ディスプレイ４に装填されている場合である。例えば、香り付きコンテンツ２００のアロマデータ２０１に６種類のアロマ番号が記録されており、その６種類のアロマ番号に対応する全ての香源カートリッジ５が嗅覚ディスプレイ４に装填されている場合である。
【０１１６】
次に推奨値が高いのが、香り付きコンテンツ２００に含まれるアロマデータ２０１に記録されたアロマ番号のうち、１つを除いて、対応する香源カートリッジ５が嗅覚ディスプレイ４に装填されている場合である。例えば、香り付きコンテンツ２００のアロマデータ２０１に６種類のアロマ番号が記録されており、そのうち５種類のアロマ番号に対応する香源カートリッジ５が嗅覚ディスプレイ４に装填されている場合である。このようにして、対応する香源カートリッジ５が装填されている個数および／または香源カートリッジ５の選択アルゴリズムに応じて順次推奨レベルを変えてユーザに香り付きコンテンツ２００を推奨することが可能である。
【０１１７】
｛７．香り付きコンテンツのプラットフォーム｝
上記の実施の形態で説明したように、遠隔地にいるユーザは、コンテンツ共有システ１００を利用することで、映像および／または音響に香りが付加された香り付きコンテンツ２００を共有することが可能である。上記の実施の形態では、ユーザＵＡおよびユーザＵＢは、それぞれ端末装置３Ａおよび端末装置３ＢにインストールされているコンテンツプレイヤーＣＰを利用して香り付きコンテンツ２００を再生した。
【０１１８】
サーバ１０は、香り付きコンテンツ２００を再生するためのＡＰＩおよびソフトウェア開発キット（ＳＤＫ：Ｓｏｆｔｗａｒｅ  Ｄｅｖｅｌｏｐｍｅｎｔ  Ｋｉｔ）を提供している。ユーザは、サーバ１０の記憶部１１に保存されているＡＰＩ／ＳＤＫ２２０をダウンロードすることで、香り付きコンテンツ２００を様々なアプリケーションで再生可能にプログラミングすることができる。
【０１１９】
例えばユーザは、ソーシャルネットワーキングサービス（ＳＮＳ）において香り付きコンテンツ２００を再生可能に埋め込んだコンテンツを公開することができる。あるいはユーザは、個人のホームページやブログなどにおいて、香り付きコンテンツ２００を再生可能に埋め込んだコンテンツを公開することができる。上述したように、全ての香源カートリッジ５が図６に示したアロマ番号で標準化されているので、これらの公開された香り付きコンテンツ２００をダウンロードした第三者は、編集生成者の意図したものと同様の香り付きコンテンツ２００を楽しむことができる。
【０１２０】
｛８．その他｝
香り付きコンテンツ２００は、映像情報、音響情報およびアロマコードがパッケージされている態様であってもよい。あるいは、香り付きコンテンツ２００は、映像情報および音響情報がパッケージされたデータに、付随的にアロマコードが添付される態様であってもよい。
【０１２１】
上記実施の形態においては、端末装置３Ａが香り付きコンテンツ２００をサーバ１０にアップロードし、端末装置３Ｂが香り付きコンテンツ２００をダウンロードするとうい形態を説明した。ダウンロードには、各種のアプリケーションソフトやＷＥＢブラウザを利用する態様があり、特に限定されるものではない。たとえば、電子メールで端末装置３Ａと端末装置３Ｂとの間で香り付きコンテンツ２００を共有する形態であってもよい。この場合、サーバ１０はメールサーバとして機能している。
【０１２２】
上記実施の形態においては、映像情報および／または音響情報に香り再生情報が付加された香り付きコンテンツ２００を共有するシステムを例に説明した。しかし、本発明は、映像情報あるいは音響情報に付加されることなく、香り再生情報のみを共有することによって、香りを共有するシステム（「香り共有システム」）に適用可能である。つまり、アロマ番号により香り（アロマ）をコード化しているので、アロマ番号を含む香り再生情報を共有することで、遠隔地にいるユーザ間であっても、同じ香りを共有することができる。
【０１２３】
上記の実施の形態においては、映像情報および／または音響情報に香り再生情報が付加された香り付きコンテンツ２００を「コンテンツ再生部」により再生した。映像情報あるいは音響情報に付加されることなく、香り再生情報のみを共有する場合、本発明の「再生部」が、香り再生情報に基づいて、嗅覚ディスプレイ４を制御して香りを噴射させる。香り再生情報に基づいて香りを噴射する処理内容は、上記の実施の形態と同様である。上記の実施の形態においては、映像情報および／または音響情報に同期して香り再生情報に基づいて香りを噴射させたが、「香り共有システム」の「再生部」は、映像情報および／または音響情報に同期させることなく、香り再生情報に基づいて香りを噴射させる。また、上記の実施の形態において、コンテンツプレイヤーＣＰは、映像情報および／または音響情報に同期した香り再生情報を編集および生成可能としたが、「香り共有システム」においては、コンテンツプレイヤーＣＰは、映像情報および／または音響情報に同期させることなく、香り再生情報を編集および生成する。
【０１２４】
上記の実施の形態においては、インターネット２に接続されたサーバ１０において、香り付きコンテンツ２００を保存する場合を例に説明した。しかし、本発明の「香り付きコンテンツ共有システム」の形態はサーバ１０を含む構成は必須ではない。本発明の香り付きコンテンツ共有システムは、端末装置３および嗅覚ディスプレイ４を備える「嗅覚ユニット」がネットワーク経由で接続されていればよい。「嗅覚ユニット」は、ネットワーク経由で、香り付きコンテンツを共有することで、香り再生情報に基づき香りを再生することができる。これにより、異なるユーザ間で、映像情報および／または音声情報に同期させて同じ香りを再生することができる。
【０１２５】
同様に、本発明の「香り共有システム」の形態はサーバ１０を含む構成は必須ではない。本発明の香り共有システムは、端末装置３および嗅覚ディスプレイ４を備える「嗅覚ユニット」がネットワーク経由で接続されていればよい。「嗅覚ユニット」は、ネットワーク経由で、香り再生情報を共有することで、異なるユーザ間で、同じ香りを再生することができる。
【０１２６】
なお、本発明の具体的な構成は、前述の実施形態に限られるものではなく、発明の要旨を逸脱しない範囲で種々の変更および修正が可能である。
【符号の説明】
【０１２７】
３（３Ａ、３Ｂ）  端末装置
４（４Ａ、４Ｂ）  嗅覚ディスプレイ
５                香源カートリッジ
１０              サーバ
７０              （コンテンツプレイヤー）ユーザインタフェース
８０              設定画面
２００            香り付きコンテンツ
【図１】
2020042254.tif 000003
【図２】
2020042254.tif 000004
【図３】
2020042254.tif 000005
【図４】
2020042254.tif 000006
【図５】
2020042254.tif 000007
【図６】
2020042254.tif 000008
【図７】
2020042254.tif 000009
【図８】
2020042254.tif 000010
【図９】
2020042254.tif 000011
【図１０】
2020042254.tif 000012
【図１１】
2020042254.tif 000013
【図１２】
2020042254.tif 000014
【図１３】
2020042254.tif 000015
【図１４】
2020042254.tif 000016
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
香りを共有するシステムであって、
複数の嗅覚ユニットと、
前記複数の嗅覚ユニットを接続するネットワークと、を備え、
各嗅覚ユニットは、
複数の香源カートリッジが装填可能な嗅覚ディスプレイと、
前記嗅覚ディスプレイを制御する端末装置と、を含み、
前記端末装置は、
再生する香りの種類を特定するために前記システムにおいて標準化されたアロマ番号、香りの噴射時刻および香りの噴射時間を含んだ香り再生情報に基づいて香りを再生する再生部、を含み、
前記再生部は、前記アロマ番号に基づいて、前記嗅覚ディスプレイに装填された前記複数の香源カートリッジの中のいずれの香源カートリッジを用いて香りを再生するかを決定し、前記香りの噴射時刻から前記香りの噴射時間が経過する間に前記嗅覚ディスプレイから香りを噴射させ、
各嗅覚ユニットは、前記香り再生情報を前記ネットワークを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、を含み、
前記ユーザインタフェースに表示された時間軸上に前記香り再生情報に対応したアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる、香り共有システム。
【請求項２】
香りを共有するシステムであって、
複数の嗅覚ユニットと、
前記複数の嗅覚ユニットを接続するネットワークと、
前記ネットワークに接続されたサーバと、を備え、
各嗅覚ユニットは、
複数の香源カートリッジが装填可能な嗅覚ディスプレイと、
前記嗅覚ディスプレイを制御する端末装置と、を含み、
前記サーバは、
再生する香りの種類を特定するために前記システムにおいて標準化されたアロマ番号および香りの噴射時刻を含んだ香り再生情報を保存する記憶部、を含み、
前記端末装置は、
前記サーバからダウンロードした前記香り再生情報に基づいて香りを再生する再生部、を含み、
前記再生部は、前記アロマ番号に基づいて、前記嗅覚ディスプレイに装填された前記複数の香源カートリッジの中のいずれの香源カートリッジを用いて香りを再生するかを決定し、前記香りの噴射時刻から前記香りの噴射時間が経過する間に前記嗅覚ディスプレイから香りを噴射させ、
各嗅覚ユニットは、前記香り再生情報を前記サーバを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、を含み、
前記ユーザインタフェースに表示された時間軸上に前記香り再生情報に対応したアイコンが配置されることにより、前記香り再生情報前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り共有システム。
【請求項３】
請求項１または請求項２に記載の香り共有システムにおいて、
前記嗅覚ディスプレイは、
前記複数の香源カートリッジを装填するための複数のカートリッジ収容室、を含み、
前記端末装置は、
各カートリッジ収容室に装填された各香源カートリッジに収容されている香りの種類を前記アロマ番号により設定する設定部、を含む香り共有システム。
【請求項４】
請求項１ないし請求項３のいずれかに記載の香り共有システムにおいて、
前記再生部は、前記香り再生情報に記録されている前記アロマ番号に対応する香りを再生するための香源カートリッジが前記嗅覚ディスプレイに装填されていないとき、予め設定されたアルゴリズムを利用して、近似する香りを再生するための香源カートリッジを用いて香りを再生することを決定する、香り共有システム。
【請求項５】
映像情報および／または音響情報に同期した香りを再生するための香り付きコンテンツを共有するシステムであって、
複数の嗅覚ユニットと、
前記複数の嗅覚ユニットを接続するネットワークと、を備え、
各嗅覚ユニットは、
複数の香源カートリッジが装填可能な嗅覚ディスプレイと、
前記嗅覚ディスプレイを制御する端末装置と、を含み、
前記端末装置は、
映像情報および／または音響情報に同期された香り再生情報を含む香り付きコンテンツを再生するコンテンツ再生部、を含み、
前記香り再生情報は、
再生する香りの種類を特定するために前記システムにおいて標準化されたアロマ番号、香りの噴射時刻および香りの噴射時間を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香りの噴射時刻から前記香りの噴射時間が経過する間に前記嗅覚ディスプレイから香りを噴射させ、
各嗅覚ユニットは、前記香り再生情報を含む前記香り付きコンテンツを前記ネットワークを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、を含み、
前記ユーザインタフェースに表示された時間軸上に前記香り再生情報に対応したアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り付きコンテンツの共有システム。
【請求項６】
映像情報および／または音響情報に同期した香りを再生するための香り付きコンテンツを共有するシステムであって、
複数の嗅覚ユニットと、
前記複数の嗅覚ユニットを接続するネットワークと、
前記ネットワークに接続されたサーバと、を備え、
各嗅覚ユニットは、
複数の香源カートリッジが装填可能な嗅覚ディスプレイと、
前記嗅覚ディスプレイを制御する端末装置と、を含み、
前記サーバは、
映像情報および／または音響情報に同期された香り再生情報を含む香り付きコンテンツを保存する記憶部、を含み、
前記端末装置は、
前記サーバからダウンロードした前記香り付きコンテンツを再生するコンテンツ再生部、を含み、
前記香り再生情報は、
再生する香りの種類を特定するために前記システムにおいて標準化されたアロマ番号、香りの噴射時刻および香りの噴射時間を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香りの噴射時刻から前記香りの噴射時間が経過する間に前記嗅覚ディスプレイから香りを噴射させ、
各嗅覚ユニットは、前記香り再生情報を含む前記香り付きコンテンツを前記サーバを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、を含み、
前記ユーザインタフェースに表示された時間軸上に前記香り再生情報にアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り付きコンテンツの共有システム。
【請求項７】
請求項６に記載の香り付きコンテンツの共有システムにおいて、さらに、
前記サーバにアップロードされている前記香り付きコンテンツを、他の情報公開システムにおいて再生可能に組み込むためのアプリケーションプログラミングインタフェースを提供するプラットフォーム、を備える香り付きコンテンツの共有システム。
【請求項８】
請求項６に記載の香り付きコンテンツの共有システムにおいて、
前記サーバは、
前記嗅覚ディスプレイに装填された香源カートリッジの収容された香りの前記アロマ番号を取得し、前記端末装置に対して前記端末装置で再生することを推奨する前記香り付きコンテンツのリストを提示する提示部、を含む香り付きコンテンツの共有システム。
【手続補正２】
【補正対象書類名】明細書
【補正対象項目名】００１４
【補正方法】変更
【補正の内容】
【００１４】
（１）本発明に係る香り共有システムは、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、再生する香りの種類を特定するためにシステムにおいて標準化されたアロマ番号、香りの噴射時刻および香りの噴射時間を含んだ香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香りの噴射時刻から香りの噴射時間が経過する間に嗅覚ディスプレイから香りを噴射させ、各嗅覚ユニットは、香り再生情報をネットワークを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含み、生成部は、生成部による編集を行うためのユーザインタフェースを含み、ユーザインタフェースに表示された時間軸上に香り再生情報に対応したアイコンが配置されることにより、香り再生情報に香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正３】
【補正対象書類名】明細書
【補正対象項目名】００１７
【補正方法】変更
【補正の内容】
【００１７】
また、ユーザインタフェースに表示された時間軸上に香り再生情報に対応したアイコンが配置されることにより、香り再生情報に記録される香りの噴射時刻が設定されるので、ユーザは、香りの噴射タイミングを視覚的に把握しながら香り再生情報を編集することができる。また、ユーザインタフェースに配置されたアイコンに含まれるバーの時間軸方向の長さにより、香り再生情報に記録される香りの噴射時間が設定されるので、ユーザは、香りの噴射時間を視覚的に把握しながら香り再生情報を編集することができる。さらに、ユーザインタフェースにアイコンの複数が配置される場合に、複数のアイコンにそれぞれ含まれる複数のバーのいずれかの少なくとも一部が他のバーと時間軸上で重なる配置が可能とされるので、複数の香源カートリッジを用いて香りを再生するための再生情報を編集することができる。
【手続補正４】
【補正対象書類名】明細書
【補正対象項目名】００１８
【補正方法】変更
【補正の内容】
【００１８】
（２）本発明に係る香り共有システムは、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、再生する香りの種類を特定するためにシステムにおいて標準化されたアロマ番号および香りの噴射時刻を含んだ香り再生情報を保存する記憶部を含む。端末装置は、サーバからダウンロードした香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香りの噴射時刻から香りの噴射時間が経過する間に嗅覚ディスプレイから香りを噴射させる。各嗅覚ユニットは、香り再生情報をサーバを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含む。生成部は、生成部による編集を行うためのユーザインタフェースを含む。ユーザインタフェースに表示された時間軸上に香り再生情報に対応したアイコンが配置されることにより、香り再生情報に香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正５】
【補正対象書類名】明細書
【補正対象項目名】００２１
【補正方法】変更
【補正の内容】
【００２１】
また、ユーザインタフェースに配置されたアイコンに含まれるバーの時間軸方向の長さにより、香り再生情報に記録される香りの噴射時間が設定される。
【手続補正６】
【補正対象書類名】明細書
【補正対象項目名】００２２
【補正方法】変更
【補正の内容】
【００２２】
ユーザは、香りの噴射時間を視覚的に把握しながら香り再生情報を編集することができる。さらに、ユーザインタフェースにアイコンの複数が配置される場合に、複数のアイコンにそれぞれ含まれる複数のバーのいずれかの少なくとも一部が他のバーと時間軸上で重なる配置が可能とされるので、複数の香源カートリッジを用いて香りを再生するための再生情報を編集することができる。
【手続補正７】
【補正対象書類名】明細書
【補正対象項目名】００２３
【補正方法】変更
【補正の内容】
【００２３】
（３）嗅覚ディスプレイは、複数の香源カートリッジを装填するための複数のカートリッジ収容室を含む。端末装置は、各カートリッジ収容室に装填された各香源カートリッジに収容されている香りの種類をアロマ番号により設定する設定部を含む。
【手続補正８】
【補正対象書類名】明細書
【補正対象項目名】００２５
【補正方法】変更
【補正の内容】
【００２５】
（４）再生部は、香り再生情報に記録されているアロマ番号に対応する香りを再生するための香源カートリッジが嗅覚ディスプレイに装填されていないとき、予め設定されたアルゴリズムを利用して、近似する香りを再生するための香源カートリッジを用いて香りを再生することを決定する。
【手続補正９】
【補正対象書類名】明細書
【補正対象項目名】００２９
【補正方法】変更
【補正の内容】
【００２９】
（５）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、映像情報および／または音響情報に同期された香り再生情報を含む香り付きコンテンツを再生するコンテンツ再生部を含む。香り再生情報は、再生する香りの種類を特定するためにシステムにおいて標準化されたアロマ番号、香りの噴射時刻および香りの噴射時間を含んでおり、コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香りの噴射時刻から香りの噴射時間が経過する間に嗅覚ディスプレイから香りを噴射させる。各嗅覚ユニットは、香り再生情報を含む香り付きコンテンツをネットワークを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正１０】
【補正対象書類名】明細書
【補正対象項目名】００３２
【補正方法】変更
【補正の内容】
【００３２】
また、ユーザインタフェースに表示された時間軸上に香り再生情報に対応したアイコンが配置されることにより、香り再生情報に記録される香りの噴射時刻が設定される。ユーザは、香り付きコンテンツが再生される時間軸上において香りの噴射タイミングを視覚的に把握しながら香り再生情報を編集することができる。また、ユーザインタフェースに配置されたアイコンに含まれるバーの時間軸方向の長さにより、香り再生情報に記録される香りの噴射時間が設定されるので、ユーザは、香りの噴射時間を視覚的に把握しながら香り再生情報を編集することができる。さらに、ユーザインタフェースにアイコンの複数が配置される場合に、複数のアイコンにそれぞれ含まれる複数のバーのいずれかの少なくとも一部が他のバーと時間軸上で重なる配置が可能とされるので、複数の香源カートリッジを用いて香りを再生するための再生情報を編集することができる。
【手続補正１１】
【補正対象書類名】明細書
【補正対象項目名】００３３
【補正方法】変更
【補正の内容】
【００３３】
（６）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、映像情報および／または音響情報に同期された香り再生情報を含む香り付きコンテンツを保存する記憶部を含む。端末装置は、サーバからダウンロードした香り付きコンテンツを再生するコンテンツ再生部を含む。香り再生情報は、再生する香りの種類を特定するためにシステムにおいて標準化されたアロマ番号、香りの噴射時刻および香りの噴射時間を含む。コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香りの噴射時刻から香りの噴射時間が経過する間に嗅覚ディスプレイから香りを噴射させる。各嗅覚ユニットは、香り再生情報を含む香り付きコンテンツをサーバを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正１２】
【補正対象書類名】明細書
【補正対象項目名】００３６
【補正方法】変更
【補正の内容】
【００３６】
ユーザインタフェースに配置されたアイコンに含まれるバーの時間軸方向の長さにより、香り再生情報に記録される香りの噴射時間が設定される。
【手続補正１３】
【補正対象書類名】明細書
【補正対象項目名】００３７
【補正方法】変更
【補正の内容】
【００３７】
ユーザは、香りの噴射時間を視覚的に把握しながら香り再生情報を編集することができる。さらに、ユーザインタフェースにアイコンの複数が配置される場合に、複数のアイコンにそれぞれ含まれる複数のバーのいずれかの少なくとも一部が他のバーと時間軸上で重なる配置が可能とされるので、複数の香源カートリッジを用いて香りを再生するための再生情報を編集することができる。
【手続補正１４】
【補正対象書類名】明細書
【補正対象項目名】００４０
【補正方法】変更
【補正の内容】
【００４０】
（７）香り付きコンテンツの共有システムは、さらに、サーバにアップロードされている香り付きコンテンツを、他の情報公開システムにおいて再生可能に組み込むためのアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）を提供するプラットフォームを備える。
【手続補正１５】
【補正対象書類名】明細書
【補正対象項目名】００４２
【補正方法】変更
【補正の内容】
【００４２】
（８）サーバは、嗅覚ディスプレイに装填された香源カートリッジの収容された香りのアロマ番号を取得し、端末装置に対して端末装置で再生することを推奨する香り付きコンテンツのリストを提示する提示部を含む。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
香りを共有するシステムであって、
複数の嗅覚ユニットと、
前記複数の嗅覚ユニットを接続するネットワークと、を備え、
各嗅覚ユニットは、
複数の香源カートリッジが装填可能な嗅覚ディスプレイと、
前記嗅覚ディスプレイを制御する端末装置と、を含み、
前記端末装置は、
再生する香りの種類を特定するために前記システムにおいて標準化されたアロマ番号、香りの噴射時刻および香りの噴射時間を含んだ香り再生情報に基づいて香りを再生する再生部、を含み、
前記再生部は、前記アロマ番号に基づいて、前記嗅覚ディスプレイに装填された前記複数の香源カートリッジの中のいずれの香源カートリッジを用いて香りを再生するかを決定し、前記香りの噴射時刻から前記香りの噴射時間が経過する間に前記嗅覚ディスプレイから香りを噴射させ、
前記アロマ番号は、複数階層のカテゴリに分類されており、
前記再生部は、前記香り再生情報に記録されている前記アロマ番号に対応する香りを再生するための香源カートリッジが前記嗅覚ディスプレイに装填されているとき、前記香り再生情報に記録されている前記アロマ番号に対応する香源カートリッジを用いて香りを再生することを決定し、前記香り再生情報に記録されている前記アロマ番号に対応する香りを再生するための香源カートリッジが前記嗅覚ディスプレイに装填されていないとき、最上位層のカテゴリだけが異なる前記アロマ番号の香源カートリッジを用いて香りを再生することを決定して前記嗅覚ディスプレイから香りを噴射させ、
各嗅覚ユニットは、前記香り再生情報を前記ネットワークを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、を含み、
前記ユーザインタフェースに表示された時間軸上に前記香り再生情報に対応したアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる、香り共有システム。
【請求項２】
香りを共有するシステムであって、
複数の嗅覚ユニットと、
前記複数の嗅覚ユニットを接続するネットワークと、
前記ネットワークに接続されたサーバと、を備え、
各嗅覚ユニットは、
複数の香源カートリッジが装填可能な嗅覚ディスプレイと、
前記嗅覚ディスプレイを制御する端末装置と、を含み、
前記サーバは、
再生する香りの種類を特定するために前記システムにおいて標準化されたアロマ番号および香りの噴射時刻を含んだ香り再生情報を保存する記憶部、を含み、
前記端末装置は、
前記サーバからダウンロードした前記香り再生情報に基づいて香りを再生する再生部、を含み、
前記再生部は、前記アロマ番号に基づいて、前記嗅覚ディスプレイに装填された前記複数の香源カートリッジの中のいずれの香源カートリッジを用いて香りを再生するかを決定し、前記香りの噴射時刻から前記香りの噴射時間が経過する間に前記嗅覚ディスプレイから香りを噴射させ、
前記アロマ番号は、複数階層のカテゴリに分類されており、
前記再生部は、前記香り再生情報に記録されている前記アロマ番号に対応する香りを再生するための香源カートリッジが前記嗅覚ディスプレイに装填されているとき、前記香り再生情報に記録されている前記アロマ番号に対応する香源カートリッジを用いて香りを再生することを決定し、前記香り再生情報に記録されている前記アロマ番号に対応する香りを再生するための香源カートリッジが前記嗅覚ディスプレイに装填されていないとき、最上位層のカテゴリだけが異なる前記アロマ番号の香源カートリッジを用いて香りを再生することを決定して前記嗅覚ディスプレイから香りを噴射させ、
各嗅覚ユニットは、前記香り再生情報を前記サーバを介して異なる嗅覚ユニットに伝達してその異なる嗅覚ユニットと前記香り再生情報を共有し、
前記端末装置の少なくとも１つは、
前記システムにおいて標準化された前記アロマ番号を含んだ前記香り再生情報を編集して生成する生成部を含み、
前記生成部は、
前記生成部による編集を行うためのユーザインタフェース、を含み、
前記ユーザインタフェースに表示された時間軸上に前記香り再生情報に対応したアイコンが配置されることにより、前記香り再生情報前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り共有システム。
【請求項３】
請求項１または請求項２に記載の香り共有システムにおいて、
前記嗅覚ディスプレイは、
前記複数の香源カートリッジを装填するための複数のカートリッジ収容室、を含み、
前記端末装置は、
各カートリッジ収容室に装填された各香源カートリッジに収容されている香りの種類を前記アロマ番号により設定する設定部、を含む香り共有システム。
【請求項４】
映像情報および／または音響情報に同期した香りを再生するための香り付きコンテンツを共有するシステムであって、
複数の嗅覚ユニットと、
前記複数の嗅覚ユニットを接続するネットワークと、を備え、
各嗅覚ユニットは、
複数の香源カートリッジが装填可能な嗅覚ディスプレイと、
前記嗅覚ディスプレイを制御する端末装置と、を含み、
前記端末装置は、
映像情報および／または音響情報に同期された香り再生情報を含む香り付きコンテンツを再生するコンテンツ再生部、を含み、
前記香り再生情報は、
再生する香りの種類を特定するために前記システムにおいて標準化されたアロマ番号、香りの噴射時刻および香りの噴射時間を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香りの噴射時刻から前記香りの噴射時間が経過する間に前記嗅覚ディスプレイから香りを噴射させ、
前記アロマ番号は、複数階層のカテゴリに分類されており、
前記コンテンツ再生部は、前記香り再生情報に記録されている前記アロマ番号に対応する香りを再生するための香源カートリッジが前記嗅覚ディスプレイに装填されているとき、前記香り再生情報に記録されている前記アロマ番号に対応する香源カートリッジを用いて香りを再生することを決定し、前記香り再生情報に記録されている前記アロマ番号に対応する香りを再生するための香源カートリッジが前記嗅覚ディスプレイに装填されていないとき、最上位層のカテゴリだけが異なる前記アロマ番号の香源カートリッジを用いて香りを再生することを決定して前記嗅覚ディスプレイから香りを噴射させ、
各嗅覚ユニットは、前記香り再生情報を含む前記香り付きコンテンツを前記ネットワークを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、を含み、
前記ユーザインタフェースに表示された時間軸上に前記香り再生情報に対応したアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り付きコンテンツの共有システム。
【請求項５】
映像情報および／または音響情報に同期した香りを再生するための香り付きコンテンツを共有するシステムであって、
複数の嗅覚ユニットと、
前記複数の嗅覚ユニットを接続するネットワークと、
前記ネットワークに接続されたサーバと、を備え、
各嗅覚ユニットは、
複数の香源カートリッジが装填可能な嗅覚ディスプレイと、
前記嗅覚ディスプレイを制御する端末装置と、を含み、
前記サーバは、
映像情報および／または音響情報に同期された香り再生情報を含む香り付きコンテンツを保存する記憶部、を含み、
前記端末装置は、
前記サーバからダウンロードした前記香り付きコンテンツを再生するコンテンツ再生部、を含み、
前記香り再生情報は、
再生する香りの種類を特定するために前記システムにおいて標準化されたアロマ番号、香りの噴射時刻および香りの噴射時間を含んでおり、
前記コンテンツ再生部は、前記アロマ番号に基づいて、前記嗅覚ディスプレイに装填された前記複数の香源カートリッジの中のいずれの香源カートリッジを用いて香りを再生するかを決定し、前記映像情報および／または前記音響情報に同期して、前記香りの噴射時刻から前記香りの噴射時間が経過する間に前記嗅覚ディスプレイから香りを噴射させ、
前記アロマ番号は、複数階層のカテゴリに分類されており、
前記コンテンツ再生部は、前記香り再生情報に記録されている前記アロマ番号に対応する香りを再生するための香源カートリッジが前記嗅覚ディスプレイに装填されているとき、前記香り再生情報に記録されている前記アロマ番号に対応する香源カートリッジを用いて香りを再生することを決定し、前記香り再生情報に記録されている前記アロマ番号に対応する香りを再生するための香源カートリッジが前記嗅覚ディスプレイに装填されていないとき、最上位層のカテゴリだけが異なる前記アロマ番号の香源カートリッジを用いて香りを再生することを決定して前記嗅覚ディスプレイから香りを噴射させ、
各嗅覚ユニットは、前記香り再生情報を含む前記香り付きコンテンツを前記サーバを介して異なる嗅覚ユニットに伝達してその異なる嗅覚ユニットと前記香り付きコンテンツを共有し、
前記端末装置の少なくとも１つは、
前記システムにおいて標準化された前記アロマ番号を含んだ前記香り再生情報を編集し、前記映像情報および／または前記音響情報に同期された前記香り再生情報を含む香り付きコンテンツを編集し生成するコンテンツ生成部を含み、
前記コンテンツ生成部は、
前記コンテンツ生成部による編集を行うためのユーザインタフェース、を含み、
前記ユーザインタフェースに表示された時間軸上に前記香り再生情報にアイコンが配置されることにより、前記香り再生情報に前記香りの噴射時刻が設定され、
前記ユーザインタフェースに配置された前記アイコンに含まれるバーの時間軸方向の長さにより、前記香り再生情報に前記香りの噴射時間が設定され、
前記ユーザインタフェースに前記アイコンの複数が配置される場合に、複数の前記アイコンにそれぞれ含まれる複数の前記バーのいずれかの少なくとも一部が他の前記バーと前記時間軸上で重なる配置が可能とされる香り付きコンテンツの共有システム。
【請求項６】
請求項５に記載の香り付きコンテンツの共有システムにおいて、さらに、
前記サーバにアップロードされている前記香り付きコンテンツを、他の情報公開システムにおいて再生可能に組み込むためのアプリケーションプログラミングインタフェースを提供するプラットフォーム、を備える香り付きコンテンツの共有システム。
【請求項７】
請求項５に記載の香り付きコンテンツの共有システムにおいて、
前記サーバは、
前記嗅覚ディスプレイに装填された香源カートリッジの収容された香りの前記アロマ番号を取得し、前記端末装置に対して前記端末装置で再生することを推奨する前記香り付きコンテンツのリストを提示する提示部、を含む香り付きコンテンツの共有システム。
【手続補正２】
【補正対象書類名】明細書
【補正対象項目名】００１４
【補正方法】変更
【補正の内容】
【００１４】
（１）本発明に係る香り共有システムは、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、再生する香りの種類を特定するためにシステムにおいて標準化されたアロマ番号、香りの噴射時刻および香りの噴射時間を含んだ香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香りの噴射時刻から香りの噴射時間が経過する間に嗅覚ディスプレイから香りを噴射させ、アロマ番号は、複数階層のカテゴリに分類されており、再生部は、香り再生情報に記録されているアロマ番号に対応する香りを再生するための香源カートリッジが嗅覚ディスプレイに装填されているとき、香り再生情報に記録されているアロマ番号に対応する香源カートリッジを用いて香りを再生することを決定し、香り再生情報に記録されているアロマ番号に対応する香りを再生するための香源カートリッジが嗅覚ディスプレイに装填されていないとき、最上位層のカテゴリだけが異なるアロマ番号の香源カートリッジを用いて香りを再生することを決定して嗅覚ディスプレイから香りを噴射させ、各嗅覚ユニットは、香り再生情報をネットワークを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含み、生成部は、生成部による編集を行うためのユーザインタフェースを含み、ユーザインタフェースに表示された時間軸上に香り再生情報に対応したアイコンが配置されることにより、香り再生情報に香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正３】
【補正対象書類名】明細書
【補正対象項目名】００１８
【補正方法】変更
【補正の内容】
【００１８】
（２）本発明に係る香り共有システムは、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、再生する香りの種類を特定するためにシステムにおいて標準化されたアロマ番号および香りの噴射時刻を含んだ香り再生情報を保存する記憶部を含む。端末装置は、サーバからダウンロードした香り再生情報に基づいて香りを再生する再生部を含む。再生部は、アロマ番号に基づいて、嗅覚ディスプレイに装填された複数の香源カートリッジの中のいずれの香源カートリッジを用いて香りを再生するかを決定し、香りの噴射時刻から香りの噴射時間が経過する間に嗅覚ディスプレイから香りを噴射させ、アロマ番号は、複数階層のカテゴリに分類されており、再生部は、香り再生情報に記録されているアロマ番号に対応する香りを再生するための香源カートリッジが嗅覚ディスプレイに装填されているとき、香り再生情報に記録されているアロマ番号に対応する香源カートリッジを用いて香りを再生することを決定し、香り再生情報に記録されているアロマ番号に対応する香りを再生するための香源カートリッジが嗅覚ディスプレイに装填されていないとき、最上位層のカテゴリだけが異なるアロマ番号の香源カートリッジを用いて香りを再生することを決定して嗅覚ディスプレイから香りを噴射させる。各嗅覚ユニットは、香り再生情報をサーバを介して異なる嗅覚ユニットに伝達してその異なる嗅覚ユニットと香り再生情報を共有する。端末装置の少なくとも１つは、システムにおいて標準化されたアロマ番号を含んだ香り再生情報を編集して生成する生成部を含む。生成部は、生成部による編集を行うためのユーザインタフェースを含む。ユーザインタフェースに表示された時間軸上に香り再生情報に対応したアイコンが配置されることにより、香り再生情報に香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２９
【補正方法】変更
【補正の内容】
【００２９】
（４）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークとを備える。各嗅覚ユニットは、複数の香源カートリッジが装填可能な嗅覚ディスプレイと、嗅覚ディスプレイを制御する端末装置とを含む。端末装置は、映像情報および／または音響情報に同期された香り再生情報を含む香り付きコンテンツを再生するコンテンツ再生部を含む。香り再生情報は、再生する香りの種類を特定するためにシステムにおいて標準化されたアロマ番号、香りの噴射時刻および香りの噴射時間を含んでおり、コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香りの噴射時刻から香りの噴射時間が経過する間に嗅覚ディスプレイから香りを噴射させ、アロマ番号は、複数階層のカテゴリに分類されており、コンテンツ再生部は、香り再生情報に記録されているアロマ番号に対応する香りを再生するための香源カートリッジが嗅覚ディスプレイに装填されているとき、香り再生情報に記録されているアロマ番号に対応する香源カートリッジを用いて香りを再生することを決定し、香り再生情報に記録されているアロマ番号に対応する香りを再生するための香源カートリッジが嗅覚ディスプレイに装填されていないとき、最上位層のカテゴリだけが異なるアロマ番号の香源カートリッジを用いて香りを再生することを決定して嗅覚ディスプレイから香りを噴射させる。各嗅覚ユニットは、香り再生情報を含む香り付きコンテンツをネットワークを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正７】
【補正対象書類名】明細書
【補正対象項目名】００３３
【補正方法】変更
【補正の内容】
【００３３】
（５）本発明の香り付きコンテンツの共有システムは、映像情報および／または音響情報に同期した香りを再生するための香り付きコンテンツを共有するシステムであって、複数の嗅覚ユニットと、複数の嗅覚ユニットを接続するネットワークと、ネットワークに接続されたサーバとを備える。各嗅覚ユニットは、複数の香源カートリッジが装填可能な嗅覚ディスプレイと、嗅覚ディスプレイを制御する端末装置とを含む。サーバは、映像情報および／または音響情報に同期された香り再生情報を含む香り付きコンテンツを保存する記憶部を含む。端末装置は、サーバからダウンロードした香り付きコンテンツを再生するコンテンツ再生部を含む。香り再生情報は、再生する香りの種類を特定するためにシステムにおいて標準化されたアロマ番号、香りの噴射時刻および香りの噴射時間を含む。コンテンツ再生部は、アロマ番号に基づいて、嗅覚ディスプレイに装填された複数の香源カートリッジの中のいずれの香源カートリッジを用いて香りを再生するかを決定し、映像情報および／または音響情報に同期して、香りの噴射時刻から香りの噴射時間が経過する間に嗅覚ディスプレイから香りを噴射させ、アロマ番号は、複数階層のカテゴリに分類されており、コンテンツ再生部は、香り再生情報に記録されているアロマ番号に対応する香りを再生するための香源カートリッジが嗅覚ディスプレイに装填されているとき、香り再生情報に記録されているアロマ番号に対応する香源カートリッジを用いて香りを再生することを決定し、香り再生情報に記録されているアロマ番号に対応する香りを再生するための香源カートリッジが嗅覚ディスプレイに装填されていないとき、最上位層のカテゴリだけが異なるアロマ番号の香源カートリッジを用いて香りを再生することを決定して嗅覚ディスプレイから香りを噴射させる。各嗅覚ユニットは、香り再生情報を含む香り付きコンテンツをサーバを介して異なる嗅覚ユニットに伝達してその異なる嗅覚ユニットと香り付きコンテンツを共有する。端末装置の少なくとも１つは、システムにおいて標準化されたアロマ番号を含んだ香り再生情報を編集し、映像情報および／または音響情報に同期された香り再生情報を含む香り付きコンテンツを編集し生成するコンテンツ生成部を含む。コンテンツ生成部は、コンテンツ生成部による編集を行うためのユーザインタフェースを含む。ユーザインタフェースに表示された時間軸上に香り再生情報に対応したアイコンが配置されることにより、香り再生情報に記録される香りの噴射時刻が設定され、ユーザインタフェースに配置されたアイコンに含まれるバーの時間軸方向の長さにより、香り再生情報に香りの噴射時間が設定され、ユーザインタフェースにアイコンの複数が配置される場合に、複数のアイコンにそれぞれ含まれる複数のバーのいずれかの少なくとも一部が他のバーと時間軸上で重なる配置が可能とされる。
【手続補正８】
【補正対象書類名】明細書
【補正対象項目名】００４０
【補正方法】変更
【補正の内容】
【００４０】
（６）香り付きコンテンツの共有システムは、さらに、サーバにアップロードされている香り付きコンテンツを、他の情報公開システムにおいて再生可能に組み込むためのアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）を提供するプラットフォームを備える。
【手続補正９】
【補正対象書類名】明細書
【補正対象項目名】００４２
【補正方法】変更
【補正の内容】
【００４２】
（７）サーバは、嗅覚ディスプレイに装填された香源カートリッジの収容された香りのアロマ番号を取得し、端末装置に対して端末装置で再生することを推奨する香り付きコンテンツのリストを提示する提示部を含む。